(57)【特許請求の範囲】
【請求項１】
複数のジョブの状態をタッチパネルに表示し、該ジョブの確認を行うとともに該タッチパネルの操作により前記複数のジョブのうちの所望のジョブに関する処理が可能なジョブ状態表示方法において、
前記タッチパネルに前記ジョブの状態が表示されてから該ジョブの状態の表示が終了するまでの間は、各ジョブの状態の表示位置をジョブの状態変化によらず固定することを特徴とするジョブ状態表示方法。
【請求項２】
前記状態変化は、
当該ジョブの消滅であり、該消滅したジョブは非表示若しくは消滅したことを示す情報とともに表示されることを特徴とする請求項１記載のジョブ状態表示方法。
【請求項３】
前記ジョブの状態の表示の終了は、
ユーザの指示若しくは所定時間の経過により行われることを特徴とする請求項１記載のジョブ状態表示方法。
【請求項４】
前記ジョブ状態の表示位置は、
ユーザによる更新指示に基づいて更新されることを特徴とする請求項１または２記載のジョブ状態表示方法。
【請求項５】
前記ジョブ状態の表示位置は、
該ジョブ状態が表示されている画面の切り替え若しくは他の情報が表示されている画面から該ジョブ状態が表示されている画面への切り替えとともに更新されることを特徴とする請求項１または２記載のジョブ状態表示方法。
【請求項６】
前記更新は、
該更新を行う際に存在するジョブのみを順次並べて表示することにより行われることを特徴とする請求項４または５記載のジョブ状態表示方法。
【請求項７】
複数のジョブの状態をタッチパネルに表示し、該ジョブの確認を行うとともに該タッチパネルの操作により前記複数のジョブのうちの所望のジョブに関する処理が可能なジョブ状態表示装置において、
前記複数のジョブの状態を夫々管理するジョブ管理手段と、
該ジョブ管理手段により管理されるジョブの状態を表示する位置を管理する表示位置管理手段と
を具備し、
前記表示位置管理手段は、前記タッチパネルに前記ジョブの状態が表示されてから該ジョブの状態の表示が終了するまでの間は、各ジョブの状態の表示位置をジョブの状態変化によらず固定する
ことを特徴とするジョブ状態表示装置。
【請求項８】
前記状態変化は、
当該ジョブの消滅であり、
前記表示位置管理手段は、前記消滅したジョブを非表示若しくは消滅したことを示す情報とともに表示する
ことを特徴とする請求項７記載のジョブ状態表示装置。
【請求項９】
前記ジョブの状態の表示の終了は、
ユーザの指示若しくは所定時間の経過により行われることを特徴とする請求項７記載のジョブ状態表示装置。
【請求項１０】
前記表示位置管理手段は、
ユーザによる更新指示に基づいて、前記複数のジョブの状態を表示する位置を更新することを特徴とする請求項７または８記載のジョブ状態表示装置。
【請求項１１】
前記表示位置管理手段は、
ジョブ状態が表示されている画面の切り替え若しくは他の情報が表示されている画面から該ジョブ状態が表示されている画面への切り替えとともに、前記複数のジョブの状態を表示する位置を更新することを特徴とする請求項７または８記載のジョブ状態表示装置。
【請求項１２】
前記更新は、
該更新を行う際に存在するジョブのみを順次並べて表示することにより行われることを特徴とする請求項１０または１１記載のジョブ状態表示装置。
【発明の詳細な説明】
【０００１】
【発明の属する技術分野】
この発明は、ジョブ状態表示方法および装置に関し、特に、ユーザによる誤操作を防止することのできるジョブ状態表示方法および装置に関する。
【０００２】
【従来技術】
複写機やプリンタ、ファクシミリ装置等の画像形成装置には、タッチパネル等に処理中のジョブの状態を表示するものがある。このような画像形成装置では、ユーザがタッチパネルに表示されたジョブの状態を参照して、当該ジョブの中断等の指示をすることができる。このジョブ状態の表示は、複数のジョブを同時に処理（実行処理および待機処理）できる画像形成装置においては、特に有効である。
【０００３】
図１１は、従来のファクシミリ装置の構成を示すブロック図である。
図１１において、ファクシミリ装置５０１は、バス５１０で接続された制御部５１１と操作表示部５１２、画像入力部５１３、画像出力部５１４、画像記憶部５１５、通信制御部５１６、ジョブ制御部５１７およびジョブ制御部５１７に含まれるジョブ管理部５１８と通信制御部５１６に接続されたモデム５２０を具備して構成される。
【０００４】
制御部５１１はファクシミリ装置５０１の全体を制御し、操作表示部５１２は図示しないタッチパネル等に情報を表示するとともに、そのタッチパネルやキー（不図示）等からユーザの指示を受け付ける。画像入力部５１３は送信する原稿を光学的に走査して読み取り、画像出力部５１４は受信した文書等の画像を用紙に印字する。画像記憶部５１５は送信する文書や受信した文書を一時的に記憶し、通信制御部５１６はモデム５２０を制御して電話回線５３０を介して画像データの送受信を行う。ジョブ制御部５１７は画像の送受信や印字等の処理を行うジョブを制御し、ジョブ管理部５１８はジョブの状態を管理する。
【０００５】
このファクシミリ装置５０１では、上述したジョブ状態の表示は、ジョブ管理部５１８が管理するジョブの状態を操作表示部５１２が図示しないタッチパネルに表示することで行う。
【０００６】
図１２は、ジョブ状態の表示例を示した図である。
ジョブ状態は、図１２（ａ）に示すように表示位置５５１乃至５５４にジョブの種別や処理状況とともに表示される。ユーザはこの表示を見てジョブの処理状況を知ることができるとともに、所望のジョブを選択して処理を中断させることもできる。処理の中断は、中断しようとするジョブの状態が表示されている部分（表示位置５５１乃至５５４のいずれか）を押下することで、そのジョブを選択しジョブの中断を指示するための「ジョブ中断」キー５５７を押下することで行う。
【０００７】
また、ジョブ状態の表示は、表示しているジョブの状態の変化に対応して変化する。例えば、表示位置５５２に状態が表示されている「文書番号００３」のジョブが、受信の終了に伴って消滅すると、ジョブ状態の表示は図１２（ｂ）に示すように表示位置５５２から消滅したジョブの状態表示を消去して、消去したジョブの下の表示位置５５３、５５４に表示されていたジョブ状態を夫々表示位置５５２、５５３に順次繰り上げて表示する。
【０００８】
【発明が解決しようとする課題】
上述のように、従来のファクシミリ装置等の画像形成装置では、ジョブの状態をリアルタイムに表示し、この表示を利用してユーザがジョブ状態の確認やジョブの中断指示を出したりすることができるようになっている。
【０００９】
ところが、表示されているジョブが消滅することにより他のジョブの表示位置が変化するため、ユーザが誤操作をしてしまうことがある。この誤操作には、例えば、ユーザがジョブを中断させようとして表示されているジョブを選択する直前に、他のジョブの消滅によりジョブの表示位置が変わると、ユーザがこれに気付かずに中断させようとするジョブとは異なるジョブを中断させてしまうといったことなどが挙げられる。
【００１０】
そこで、この発明は、ジョブの状態を表示するとともにユーザによる誤操作を防止できるようにしたジョブ状態表示方法および装置を提供することを目的とする。
【００１１】
【課題を解決するための手段】
上述した目的を達成するため、請求項１の発明では、
複数のジョブの状態をタッチパネルに表示し、該ジョブの確認を行うとともに該タッチパネルの操作により前記複数のジョブのうちの所望のジョブに関する処理が可能なジョブ状態表示方法において、
前記タッチパネルに前記ジョブの状態が表示されてから該ジョブの状態の表示が終了するまでの間は、各ジョブの状態の表示位置をジョブの状態変化によらず固定することを特徴とする。
【００１２】
また、請求項２の発明では、請求項１の発明において、
前記状態変化は、
当該ジョブの消滅であり、該消滅したジョブは非表示若しくは消滅したことを示す情報とともに表示されることを特徴とする。
【００１３】
また、請求項３の発明では、請求項１の発明において、
前記ジョブの状態の表示の終了は、
ユーザの指示若しくは所定時間の経過により行われることを特徴とする。
【００１４】
また、請求項４の発明では、請求項１または２の発明において、
前記ジョブ状態の表示位置は、
ユーザによる更新指示に基づいて更新されることを特徴とする。
【００１５】
また、請求項５の発明では、請求項１または２の発明において、
前記ジョブ状態の表示位置は、
該ジョブ状態が表示されている画面の切り替え若しくは他の情報が表示されている画面から該ジョブ状態が表示されている画面への切り替えとともに更新されることを特徴とする。
【００１６】
また、請求項６の発明では、請求項４または５の発明において、
前記更新は、
該更新を行う際に存在するジョブのみを順次並べて表示することにより行われることを特徴とする。
【００１７】
また、請求項７の発明では、
複数のジョブの状態をタッチパネルに表示し、該ジョブの確認を行うとともに該タッチパネルの操作により前記複数のジョブのうちの所望のジョブに関する処理が可能なジョブ状態表示装置において、
前記複数のジョブの状態を夫々管理するジョブ管理手段と、
該ジョブ管理手段により管理されるジョブの状態を表示する位置を管理する表示位置管理手段と
を具備し、
前記表示位置管理手段は、前記タッチパネルに前記ジョブの状態が表示されてから該ジョブの状態の表示が終了するまでの間は、各ジョブの状態の表示位置をジョブの状態変化によらず固定する
ことを特徴とする。
【００１８】
また、請求項８の発明では、請求項７の発明において、
前記状態変化は、
当該ジョブの消滅であり、
前記表示位置管理手段は、前記消滅したジョブを非表示若しくは消滅したことを示す情報とともに表示する
ことを特徴とする。
【００１９】
また、請求項９の発明では、請求項７の発明において、
前記ジョブの状態の表示の終了は、
ユーザの指示若しくは所定時間の経過により行われることを特徴とする。
【００２０】
また、請求項１０の発明では、請求項７または８の発明において、
前記表示位置管理手段は、
ユーザによる更新指示に基づいて、前記複数のジョブの状態を表示する位置を更新することを特徴とする。
【００２１】
また、請求項１１の発明では、請求項７または８の発明において、
前記表示位置管理手段は、
ジョブ状態が表示されている画面の切り替え若しくは他の情報が表示されている画面から該ジョブ状態が表示されている画面への切り替えとともに、前記複数のジョブの状態を表示する位置を更新することを特徴とする。
【００２２】
また、請求項１２の発明では、請求項１０または１１の発明において、
前記更新は、
該更新を行う際に存在するジョブのみを順次並べて表示することにより行われることを特徴とする。
【００２３】
【発明の実施の形態】
以下、この発明に係わるジョブ状態表示方法および装置の一実施例を添付図面を参照して詳細に説明する。
【００２４】
図１は、この発明に係わるジョブ状態表示方法および装置を適用したファクシミリ装置の構成を示すブロック図である。
図１において、ファクシミリ装置１は、バス１０で接続された制御部１１と操作表示部１２、画像入力部１３、画像出力部１４、画像記憶部１５、通信制御部１６、ジョブ制御部１７およびジョブ制御部１７に含まれるジョブ管理部１８、表示位置管理部１９と通信制御部１６に接続されたモデム２０を具備して構成される。
【００２５】
制御部１１はファクシミリ装置１の全体を制御し、操作表示部１２は図示しないタッチパネル等に情報を表示するとともに、そのタッチパネルやキー（不図示）等からユーザの指示を受け付ける。画像入力部１３は送信する原稿を光学的に走査して読み取り、画像出力部１４は受信した文書等の画像を用紙に印字する。画像記憶部１５は送信する文書や受信した文書を一時的に記憶し、通信制御部１６はモデム２０を制御して電話回線３０を介して画像データの送受信を行う。ジョブ制御部１７は画像の送受信や印字等の処理を行うジョブを制御し、ジョブ管理部１８はジョブの状態を管理する。
【００２６】
また、このファクシミリ装置１では、ジョブ管理部１８が管理するジョブ状態を図示しないタッチパネルに表示するが、この表示の際に各ジョブの表示位置を表示位置管理部１９で管理する。
【００２７】
ここで、ジョブ状態の表示位置管理について説明する。
図２は、ジョブ状態の表示例を示した図である。
実行中のジョブ状態は、図２（ａ）に示すように表示位置５１乃至５４にジョブの種別や処理状況とともに表示される。実行中のジョブが５個以上ある場合には、「前ページ」キー５５や「次ページ」キー５６で切り替える別のページに表示する。また、表示位置５１乃至５４に表示されているジョブの実行を中断する際には、中断しようとするジョブが表示されている表示位置（５１乃至５４のいずれか）を押下してジョブを選択し、「ジョブ中断」キー５７を押下する。
【００２８】
実行中のジョブが消滅した場合、例えば、表示位置５２に表示されている「文書番号００３」のジョブの実行が終了することで消滅した場合、図２（ｂ）に示すように表示位置５２に表示していたジョブ状態を消去（非表示と）する。このとき、表示位置５１、５３、５４に表示されているジョブ状態は、同じ表示位置で表示を続ける。
【００２９】
また、消滅したジョブを単に非表示とせず、ジョブが消滅したことを明示するようにしてもよい。この場合には、例えば、図３（ａ）に示すように表示位置５２にジョブの種別とともにジョブが終了したことを表示してもよく、図３（ｂ）に示すように表示位置５２に単に「終了」とだけ表示してもよい。
【００３０】
消滅したジョブを非表示とした場合には、時間の経過とともにジョブが順次消滅していき、最終的には図４（ａ）に示すように表示位置５１乃至５４のすべてがジョブ状態を表示していない状態となる。この場合にも、他にジョブがあれば、「前ページ」キー５５若しくは「次ページ」キー５６を押下することで他のジョブの状態を確認することができる。また、ジョブの消滅に伴って、タッチパネルが図４（ａ）に示すような状態となった場合には、図４（ｂ）に示すように次ページに他のジョブがあることを明示するようにすることもできる。
【００３１】
また、ジョブの消滅に伴って、非表示若しくは消滅情報を付加したジョブ状態表示が増加すると、現に処理中であるジョブの状態表示を確認するのに要する手間がかかるため、「前ページ」キー５５若しくは「次ページ」キー５６の押下によるページ切り替えや他の情報を表示している状態からジョブ状態を確認するための画面（図２）を開いたときに表示位置を更新し、消滅したジョブを表示対象からはずす。このような場合には、ユーザがジョブ状態の表示位置が変わることを認識している（ページを切り替えれば、当然表示する内容も変わる）ため、表示位置の更新を行ってもユーザによる誤操作は生じない。同様に、ユーザによる操作が無いまま所定時間が経過した場合にジョブ状態を確認するための画面を閉じるように設定されている場合にも、ユーザが再度ジョブ状態を確認する画面を開いても両者の間には連続性が無いため、表示位置の更新を行ってもユーザによる誤操作は生じない。
【００３２】
ところで、上述のようにジョブの状態を表示するために、ファクシミリ装置１では、ジョブ管理部１８がジョブの状態を管理し、表示位置管理部１９がジョブ状態の表示位置を管理している。
ここで、図５および６を参照してジョブ管理部１８と表示位置管理部１９の動作を説明する。
図５はジョブ管理部１８の実行中キューの概念図であり、図６は表示位置管理部１９の表示位置管理キューの概念図である。
【００３３】
ジョブが生成される際には、制御部１１の指示によりジョブ制御部１７がジョブを生成する。このとき、ジョブ制御部１７は、ジョブ管理の便宜のために生成したジョブに固有のジョブＩＤを付加し、ジョブＩＤを付加したジョブ６１ををジョブ管理部１８の実行中キュー６０に接続する。この後、ジョブ制御部１７は制御部１１に対してジョブＩＤを返し、制御部１１が受領したジョブＩＤを表示位置管理部１９に渡す。表示位置管理部１９は、表示位置管理キュー７０の最後尾の管理情報（ここでは、表示位置管理キュー７０に接続されている管理情報は無し）の表示行番号を求め（ここでは、０）、これに１を加えた値を表示行番号としてジョブＩＤと表示行番号を示す管理情報７１を生成し、表示位置管理キュー７０に接続する。したがって、ジョブ６１と管理情報７１はジョブＩＤによって関連付けられることになる。
【００３４】
同様に、ジョブ制御部１７が次のジョブ６２を生成すると、表示位置管理部１９は、ジョブ６２に付加されたジョブＩＤを受け、表示位置管理キュー７０の最後尾の管理情報（ここでは、管理情報７１）の表示行番号（１）を求め、これに１を加えた値を表示行番号としてジョブＩＤと表示行番号を示す管理情報７２を生成し、表示位置管理キュー７０に接続する。なお、この場合には表示位置管理キュー７０に接続されている最後尾の管理情報７１の後に接続される。
【００３５】
このようにして、表示位置管理キュー７０には管理情報が接続され、図２（ａ）に示したようにジョブの状態を表示しているときには、実行中キュー６０にはジョブ６１乃至６４が接続され表示位置管理キュー７０には管理情報７１乃至７４が接続されるている。
【００３６】
このような状態で、ジョブ６１乃至６４のいずれかが消滅した場合、例えばジョブ６２が消滅した場合には、図７に示すように実行中キュー６０からジョブ６２が消滅する。このとき、ジョブ６１は次のジョブを参照するためのポインタをジョブ６３のアドレスに書き替えたジョブ６１′となる。同様に、表示位置管理キュー７０からも、図８に示すようにジョブ６２に関連付けられた管理情報７２が消滅し、管理情報７１は次の管理情報を参照するためのポインタを管理情報７３のアドレスに書き替えた管理情報７１′となる。なお、図３に示したように消滅した情報を表示する場合には、表示位置管理キュー７０内の管理情報のみを残し、実行中キュー６０からジョブを消滅させ、管理情報に対応したジョブが消滅していれば、管理情報が示す表示行番号に基づいてジョブの消滅を示すことができる。
【００３７】
次に、図９および１０を参照して、ジョブの状態を表示する際の表示位置管理部１９の動作を説明する。
図９はユーザによるジョブ状態の確認の際に行われる表示位置の更新の流れを示すフローチャートであり、図１０はジョブ状態の表示動作の流れを示すフローチャートである。
【００３８】
ユーザが操作表示部１２を操作し、タッチパネル（不図示）にジョブ状態の確認用の画面を開こうとすると表示位置管理部１９は動作を開始し（ステップ１０１）、表示位置管理キュー７０内に管理情報が存在すれば（ステップ１０２でＹＥＳ）、変数Ｎに１を代入する（ステップ１０３）。次に、管理情報を参照するためのポインタを先頭の管理情報へ移動し（ステップ１０４）、このポインタにより参照される管理情報（図８の場合では管理情報７１′）の表示行番号に変数Ｎの値を代入する（Ｎ＝１）。
【００３９】
ここで、表示位置管理キュー７０に次の管理情報が存在すれば（ステップ１０６でＹＥＳ、図８の場合では管理情報７３）、変数Ｎの値をインクリメントして（ステップ１０７）、管理情報を参照するためのポインタを次の管理情報へ移動し（ステップ１０８）、ステップ１０５へ戻り、このポインタにより参照される管理情報（図８の場合では管理情報７３）の表示行番号に変数Ｎの値を代入する（Ｎ＝２）。同様に、次の管理情報が存在すれば（ステップ１０６でＹＥＳ、図８の場合では管理情報７４）、変数Ｎの値をインクリメントして（ステップ１０７）、管理情報を参照するためのポインタを次の管理情報へ移動し（ステップ１０８）、このポインタにより参照される管理情報（図８の場合では管理情報７４）の表示行番号に変数Ｎの値を代入する（Ｎ＝３）。
【００４０】
次に、表示位置管理キュー７０に次のジョブが無ければ（ステップ１０６でＮＯ）、表示位置管理部１９は更新処理を終了する（ステップ１０９）。なお、表示位置管理キュー７０に管理情報が１つも存在していなかった場合には（ステップ１０２でＮＯ）、表示位置管理部１９は何も処理を行わずに更新処理を終了する（ステップ１０９）。
【００４１】
さて、表示位置管理部１９は、更新処理を終了するとジョブ状態を表示するための動作を開始する（ステップ２０１）。このとき、表示位置管理キュー７０内に管理情報が存在しなければ（ステップ２０２でＮＯ）、タッチパネルに「ジョブがありません」と表示し（ステップ２０３）、表示処理を終了する（ステップ２０８）。
【００４２】
一方、表示位置管理キュー７０内に管理情報が存在すれば（ステップ２０２でＹＥＳ）、管理情報を参照するためのポインタを先頭の管理情報へ移動し（ステップ２０４）、このポインタにより参照される管理情報に関連付けられたジョブの状態を表示行番号（第１行）の位置に表示する（ステップ２０５）。
【００４３】
ここで、表示位置管理キュー７０に次の管理情報が存在すれば（ステップ２０６でＹＥＳ）、管理情報を参照するためのポインタを次の管理情報へ移動し（ステップ２０７）、ステップ２０５へ戻りこのポインタにより参照される管理情報に関連付けられたジョブの状態を表示行番号（第２行）の位置に表示する（ステップ２０５）。同様に、全ての管理情報に関連付けられたジョブの状態を表示し、全てのジョブの状態を表示すれば、つまり、表示位置管理キュー７０に次のジョブが無い状態となれば（ステップ２０６でＮＯ）、表示位置管理部１９は表示処理を終了する（ステップ２０８）。
【００４４】
また、図９で説明した更新処理は、ユーザがジョブ状態の確認用の画面を開こうとした場合のみでなく、確認用の画面のページを変更した場合にも行われ、図１０で示した表示処理はジョブの状態が変化する毎に行われる。
【００４５】
なお、この実施例では、実行中のジョブの状態を表示したが、実行待ちのジョブを表示する場合にもこの発明は適用できる。
【００４６】
【発明の効果】
以上説明したように、この発明によれば、ジョブの状態をタッチパネル等に表示する際に、表示する位置を管理し、ジョブの消滅などの状態の変化によって表示位置が変わらないように構成したので、
ユーザの誤操作、特に、ジョブの中断等を行う直前にジョブの表示位置が変わることによる所望のジョブと異なるジョブを消去してしまうといったことを防止することができる。
【図面の簡単な説明】
【図１】この発明を適用したファクシミリ装置の構成を示すブロック図。
【図２】ジョブ状態の表示例を示した図（１）。
【図３】ジョブ状態の表示例を示した図（２）。
【図４】ジョブ状態の表示例を示した図（３）。
【図５】ジョブ管理部１８の実行中キューの概念図。
【図６】表示位置管理部１９の表示位置管理キューの概念図。
【図７】ジョブが消滅した場合の実行中キューの概念図。
【図８】ジョブが消滅した場合の表示位置管理キューの概念図。
【図９】表示位置の更新の流れを示すフローチャート。
【図１０】ジョブ状態の表示動作の流れを示すフローチャート。
【図１１】従来のファクシミリ装置の構成を示すブロック図。
【図１２】従来のジョブ状態の表示例を示した図。
【符号の説明】
１    ファクシミリ装置
１０    バス
１１    制御部
１２    操作表示部
１３    画像入力部
１４    画像出力部
１５    画像記憶部
１６    通信制御部
１７    ジョブ制御部
１８    ジョブ管理部
１９    表示位置管理部
２０    モデム
３０    電話回線
５１、５２、５３、５４    表示位置
５５    「前ページ」キー
５６    「次ページ」キー
５７    「ジョブ中断」キー
６０    実行中キュー
６１、６１′、６２、６３、６４    ジョブ
７０    表示位置管理キュー
７１、７１′、７２、７３、７４    管理情報
【図１】
0003610776.tif 000002
【図２】
0003610776.tif 000003
【図３】
0003610776.tif 000004
【図４】
0003610776.tif 000005
【図５】
0003610776.tif 000006
【図６】
0003610776.tif 000007
【図７】
0003610776.tif 000008
【図８】
0003610776.tif 000009
【図９】
0003610776.tif 000010
【図１０】
0003610776.tif 000011
【図１１】
0003610776.tif 000012
【図１２】
0003610776.tif 000013